(57)【要約】【課題】映像から部分領域を選択表示する場合、複数の部分領域を含む単位領域に変更する、映像表示装置およびその制御方法を提供すること。【解決手段】本発明に係る映像表示装置は、デジタルテレビジョン放送信号に多重化されたメタデータに含まれる映像の全体領域及び部分領域の情報を抽出するメタデータ処理手段と、ユーザの表示領域選択時に、前記抽出された全体領域及び部分領域の情報から映像表示装置の画面上に表示する表示領域を導出する制御手段と、前記導出された表示領域を切り出す領域切り出し手段と、を備えることを特徴とする。【選択図】図１
2010268071.tif 000002
【特許請求の範囲】
【請求項１】
デジタルテレビジョン放送信号に多重化されたメタデータに含まれる映像の全体領域及び部分領域の情報を抽出するメタデータ処理手段と、
ユーザの表示領域選択時に、前記抽出された全体領域及び部分領域の情報から映像表示装置の画面上に表示する表示領域を導出する制御手段と、
前記導出された表示領域を切り出す領域切り出し手段と、
を備えることを特徴とする映像表示装置。
【請求項２】
前記制御手段は、全体領域を表示領域として導出することを特徴とする、請求項１に記載の映像表示装置。
【請求項３】
前記制御手段は、全ての部分領域の面積の合計と全体領域の面積との比が所定の閾値以上であることを全体領域を表示領域として導出する判断基準とすることを特徴とする、請求項２に記載の映像表示装置。
【請求項４】
前記制御手段は、複数の部分領域を含む単位領域を表示領域として導出することを特徴とする、請求項１に記載の映像表示装置。
【請求項５】
前記制御手段は、全ての部分領域の面積の合計と全体領域の面積との比が所定の閾値未満であり、かつ、全ての部分領域の面積の合計と単位領域の面積との比が所定の閾値以上である、ことを単位領域を表示領域として導出する判断基準とすることを特徴とする、請求項４に記載の映像表示装置。
【請求項６】
前記制御手段は、各部分領域をマルチ画面表示するよう前記領域切り出し手段に指示することを特徴とする、請求項１に記載の映像表示装置。
【請求項７】
前記制御手段は、全ての部分領域の面積の合計と全体領域の面積との比が所定の閾値未満であり、かつ、全ての部分領域の面積の合計と単位領域の面積との比が所定の閾値未満である、ことを各部分領域をマルチ画面表示するよう前記領域切り出し手段に指示する判断基準とすることを特徴とする、請求項６に記載の映像表示装置。
【請求項８】
前記制御手段は、部分領域相互間の距離を導出し、近接度の高い部分領域同士で単位領域を構成したマルチ画面を表示するよう前記領域切り出し手段に指示することを特徴とする、請求項６に記載の映像表示装置。
【請求項９】
前記制御手段は、部分領域相互間の位置関係を維持したマルチ画面表示をするよう前記領域切り出し手段に指示することを特徴とする請求項６〜８に記載の映像表示装置。
【請求項１０】
デジタルテレビジョン放送信号に多重化されたメタデータに含まれる映像の全体領域及び部分領域の情報を抽出するステップと、
ユーザの表示領域選択時に、前記抽出された全体領域及び部分領域の情報から、映像表示装置の画面上に表示する表示領域を導出するステップと、
前記導出された表示領域を切り出すステップと、
を備えることを特徴とする映像表示装置の制御方法。
【発明の詳細な説明】
【技術分野】
【０００１】
本発明は、全体領域の映像から複数の部分領域を選択表示する場合、部分領域を視認性良く表示することを可能にする映像表示装置およびその制御方法に関するものである。
【背景技術】
【０００２】
近年、放送や光ディスク等の映像は、解像度720x480のＳＤ（Standard Definition）映像から、解像度1920x1080のＨＤ（High Definition）映像へと高精細化が進んでいる。さらに、次世代の高度ＢＳデジタル放送においては、解像度7680x4320の超高精細映像が提案されている。そして、映像の高精細化に伴い、このような高精細な映像の領域全体（以下「全体領域」という）から一部分の領域（以下「部分領域」という）の映像を切り出して拡大表示させる方法が提案されている。例えば、高精細な映像の注目すべき部分領域をメタ情報として映像に多重化し、携帯端末のように表示領域が小さい映像表示装置でも表示を可能とする方法が検討されている。
一方、従来の選局技術には、放送局が放送チャンネルの一覧を映像化して放送し、ユーザがその映像の一覧の中から希望のチャンネルを選択する技術がある（例えば、特許文献１参照）。
また、映像の一部の領域を表示する従来技術には、ライブビュー表示可能なカメラにおいて、顔検出数と撮影距離に応じて切り出し画角を変化させるオートフレーミング処理の技術がある（例えば、特許文献２参照）。なお、ライブビューとは、デジタル一眼レフカメラにおいて、背面の画像確認用液晶モニターをファインダーとして利用・撮影する機能のことである。
【先行技術文献】
【特許文献】
【０００３】
【特許文献１】特開平07-184184号公報
【特許文献２】特開2008-252711号公報
【発明の概要】
【発明が解決しようとする課題】
【０００４】
しかしながら、メタ情報に記載された高精細な映像の複数の部分領域から一つを選択して拡大表示する場合、特許文献１に記載の選局技術を利用した一覧映像化による選択方法では、部分領域相互間の位置関係が不明である。また、限られた伝送容量を持つ伝送路に複数の部分領域の映像を送信することは、伝送路の帯域を圧迫してしまうという課題がある。
一方、特許文献２に記載のオートフレーミング処理の技術では、切り出して選択する部分領域が小さく表示されてしまうという課題がある。
そこで、本発明は、高精細な映像の全体領域から部分領域を切り出して選択表示させる場合、複数の部分領域を含みかつ全体領域の一部分である領域（以下「単位領域」という）に変更する、映像表示装置およびその制御方法を提供することを目的とする。
【課題を解決するための手段】
【０００５】
本発明に係る映像表示装置は、デジタルテレビジョン放送信号に多重化されたメタデータに含まれる映像の全体領域及び部分領域の情報を抽出するメタデータ処理手段と、ユーザの表示領域選択時に、前記抽出された全体領域及び部分領域の情報から映像表示装置の画面上に表示する表示領域を導出する制御手段と、前記導出された表示領域を切り出す領域切り出し手段と、を備えることを特徴とする。
【発明の効果】
【０００６】
本発明によれば、放送中の全体領域の映像から該映像に同期した部分領域を映像表示装置に選択表示する場合、複数の部分領域を含む単位領域を表示することで、部分領域相互間の位置関係がわかり易くなる。また、部分領域が大きく表示されるため、ユーザは、選択する部分領域の映像の内容を容易に判別できる。
【図面の簡単な説明】
【０００７】
【図１】本発明の実施形態１に係る映像表示装置の構成例を示すブロック図である。
【図２】本発明の実施形態１に係るコンポーネント記述子の構造を示した図である。
【図３】本発明の実施形態１に係る全体領域の映像例である。
【図４】本発明の実施形態１に係る部分領域の映像例である。
【図５】本発明の実施形態１に係るcomponent_typeで定義される情報テーブルである。
【図６】本発明の実施形態１に係る制御方法を示したフローチャート図である。
【図７】本発明の実施形態１に係る全体領域、部分領域、及び単位領域の領域例である。
【図８】本発明の実施形態１に係る単位領域を表示部へ表示した例である。
【図９】本発明の実施形態２に係る制御方法を示したフローチャート図である。
【図１０】本発明の実施形態２に係る全体領域と部分領域の映像例である。
【図１１】本発明の実施形態２に係る全体領域、部分領域、及び単位領域の映像例である。
【図１２】本発明の実施形態２に係る全体領域、部分領域、単位領域、及びマルチ画面の映像例である。
【図１３】本発明の実施形態３に係る制御方法を示したフローチャート図である。
【図１４】本発明の実施形態３に係る全体領域、部分領域、及び単位領域の領域例である。
【図１５】本発明の実施形態３に係るマルチ画面の映像例である。
【図１６】本発明の実施形態３に係る全体領域と部分領域の映像例である。
【図１７】本発明の実施形態３に係るマルチ画面の映像例である。
【発明を実施するための形態】
【０００８】
＜実施形態１＞
以下、本発明の第１の実施形態について、図面を参照して説明する。
図１は、本発明の第１の実施形態に係る映像表示装置の構成を示すブロック図である。なお、本実施形態では、高精細入力映像の一例として、高度ＢＳデジタル放送番組をアンテナから受信しているものとする。
アンテナ１０１は、映像データ、音声データ、メタデータ等が多重化及びデジタル変調された複数のデジタルテレビジョン放送信号を受信する。
情報入手部１０２は、例えば、ユーザからの選局指示を受けた制御部１０８からの指示により、前記デジタルテレビジョン放送信号からユーザが選局した放送番組を選択する。そして、情報入手部１０２は、放送信号の復調、誤り訂正処理等を行い、MPEG2-TS(Transport Stream:トランスポートストリーム)信号を出力する。
信号分離部１０３は、ユーザが選局した放送番組のパケットIDに基づき、多重化されたMPEG2-TS信号から映像データ、メタデータを分離し、それぞれ、映像再生部１０４、メタデータ処理部１０５へ出力する。なお、多重化されたMPEG2-TS信号には、音声データやデータ放送（マルチメディア）データが含まれる場合もあるが、図１にはこれらの処理部を図示していない。
映像再生部１０４は、JVT（Joint Video Team）が策定・標準化したITU-T Rec. H.264 /ISO/IEC 14496-10 MPEG-4 Part 10 Advanced Video Codingで符号化された映像データを復号化し、領域切り出し部１０６へ出力する。
メタデータ処理部１０５は、MPEG2-TS信号をフィルタリングするための情報や、本発明に係る全体領域や部分領域の情報を、PSI/SIのテーブル内のコンポーネント種別(component_type)から抽出する。PSI/SI（Program Specific Information/Specific Information）とは、ARIB（Association of Radio Industries and Businesses：社団法人電波産業会）のSTD-B10で規定される番組特定情報や番組情報のことである。PSI/SIは複数のテーブルから構成され、メタデータ処理部１０５は、EIT（Event Information Table）・PMT（Program Map Table）内のコンポーネント記述子のコンポーネント種別から前述の情報を抽出する。
【０００９】
図２は、コンポーネント記述子（component_descriptor）の構造を示した図である。コンポーネント記述子は、映像、音声、データ等のコンポーネント種別（component_type）を規定する。コンポーネント種別には、８ビットのフィールドに全体領域の映像の解像度情報が定義されている（例えば、コンポーネント種別が0x01の場合は480iの映像、0xB1の場合は1080iの映像、等）。この記述子に、例えば、図５に示すように、0xF3の場合は4320p解像度の番組、0xF2の場合は4320p解像度の番組で部分領域情報あり、といった定義をする。映像表示装置の制御部１０８は、コンポーネント記述子から部分領域情報を有する番組であるかどうかを判別することができる。
部分領域情報を有する場合、当該領域情報は、コンポーネント記述子のコンポーネント記述（text_char）に定義することができる。例えば、領域情報を、座標(XL_1,YL_1)と(XR_1,YR_1)で囲まれた領域で表し、各座標を、後述するように、２バイトで定義する連続した記述とする。
図３は、全体領域の映像の一例を、図４（ａ）、（ｂ）は、図３の一部である部分領域の映像を示す。前述の記述方法を用いると、図４（ａ）の部分領域は、XL_1=1921、YL_1=2161、XR_1=3840、YR_1=3240で表すことができる。そして、これらを16進変換したXL_1=0x0781、YL_1=0x0871、XR_1=0x0F00、YR_1=0x0CA8を連続させ、text_char=078108710F000CA8と記述することで部分領域を定義することができる。同様に、図４（ｂ）の部分領域はtext_char=0FC103CD17400804と定義することができる。映像表示装置は、text_charの値に基づいて部分領域の映像を表示することが可能となる。
【００１０】
説明を再び図１に戻す。
領域切り出し部１０６は、制御部１０８からの指示に従い、映像再生部１０４から出力された単位領域を切り出し、選択可能な部分領域の周囲に枠を表示し、表示部１０7の解像度に変換する。
表示部１０７は、領域切り出し部１０６で切り出され、解像度変換された単位領域を表示する。表示部１０７は、ＨＤの1920x1080の解像度を持ち、領域情報は、座標(1,1)と(1920,1080)で囲まれた領域で表すことができる。
【００１１】
以下、制御部１０８の動作について、図６のフローチャート及び、図７と図８の領域図を用いて詳しく説明する。
図７の領域図は、全体領域、部分領域１、部分領域２、単位領域、の４つの領域から構成される。
それぞれの領域情報を、以下の座標で囲まれた領域で表す。
全体領域・・・座標(XL,YL)と(XR,YR)
部分領域１・・座標(XL_1,YL_1)と(XR_1,YR_1)
部分領域２・・座標(XL_2,YL_2)と(XR_2,YR_2)
単位領域・・・座標(XL_0,YL_0)と(XR_0,YR_0)
【００１２】
図６の各ステップは、ユーザの表示領域選択時、すなわち、ユーザが表示部１０７に表示させる領域をメタデータ処理部１０５において抽出された部分領域情報から選択する場合、に開始される。
ステップS702において、制御部１０８は、放送中の映像に同期した全ての部分領域情報をメタデータ処理部１０５から受信する。
ステップS703において、制御部１０８は、複数の部分領域を視認可能な単位領域の領域情報として、座標(XL_0,YL_0)と(XR_0,YR_0)を導出する。部分領域数をnとすると、XL_n(n=1,2,・・・)の中から最小値XL_n(min)を選択することによりXL_0=XL_n(min)と導出でき、同様に、YL_0=YL_n(min)、XR_0=XR_n(max)、YR_0)=YR_n(max)と導出できる。図７の領域図の場合、n=2、XL_1＜XL_2、YL_1＜YL_2、XR_1＜XR_2、YR_1＜YR_2であり、単位領域の座標(XL_0,YL_0)=(XL_1,YL_1)と(XR_0,YR_0)=(XR_2,YR_2)を導出できる。
ステップS704において、制御部１０８は、領域切り出し部１０６に、単位領域の領域情報を送信する。図７の領域図の場合、座標(XL_0,YL_0)と(XR_0,YR_0)、すなわち、座標(XL_1,YL_1)と(XR_2,YR_2)を領域切り出し部１０６に送信する。
【００１３】
ステップS705において、制御部１０８は、単位領域に含まれる部分領域情報に基づき、部分領域の周囲にそれぞれ異なる色の枠を表示するように領域切り出し部１０６に指示する。
図８は、本実施形態に係る単位領域（図３に示す全体領域の一部分であり、図４（ａ）、（ｂ）に示す部分領域を含む）を表示部１０７へ表示した例である。部分領域の周囲には、それぞれ、赤枠、青枠が表示されている。
【００１４】
ステップS706において、制御部１０８は、ユーザが選択した部分領域を認識する。ユーザは、例えば、リモートコントローラの赤色ボタンを押下することにより、図８の赤枠で囲まれた部分領域（図４（ａ）に示す部分領域）を選択する。あるいは、ユーザは、リモートコントローラの十字キーを用いて部分領域を選択することも可能である。
ステップS707において、制御部１０８は、領域切り出し部１０６に、ユーザが選択した部分領域を表示部１０７に切り出すよう指示する。例えば、制御部１０８は、図４（ａ）の部分領域情報である、座標(1921,2161)と(3840,3240)を領域切り出し部１０６に送信する。その結果、表示部１０７にはユーザが選択した部分領域が解像度変換され画面全体に表示される。
【００１５】
以上、本実施形態によれば、放送中の全体領域の映像から該映像に同期した部分領域を映像表示装置に選択表示する場合、複数の部分領域を含む単位領域を表示することで、部分領域相互間の位置関係がわかり易くなる。また、部分領域が大きく表示されるため、ユーザは、選択する部分領域の映像の内容を容易に判別できる。
【００１６】
＜実施形態２＞
本発明の第２の実施形態について、図９のフローチャート及び図７の領域図を用いて説明する。
本実施形態は、ユーザの表示領域選択時、映像表示装置に表示される全体領域あるいは単位領域の映像ではユーザが選択する部分領域が小さく表示されてしまう場合に、表示領域・方法を変更するものである。
本実施形態における映像表示装置の構成例は、第１の実施形態（図１）と基本的に同様であり、制御部１０８の動作のみが異なる。なお、図７の領域図において、全体領域、部分領域１、部分領域２、単位領域のそれぞれの面積をS、S1、S2、S0で表す。また、本実施形態において、後述の表示領域を変更する際の判断に用いられる値として閾値C1、C2を新たに定義する。
【００１７】
以下、本実施形態における制御部１０８の動作について詳しく説明する。
図９の各ステップは、ユーザの表示領域選択時に開始される。
ステップS1002において、制御部１０８は、閾値C1、C2を設定する。閾値は、ユーザ側で指定できるようにしてもよいし、放送局側で指定して放送信号に乗せて送信するようにしてもよい。本実施形態では、一例として、C1=1/4、C2=1/8とする。
ステップS1003において、全体領域面積S、部分領域面積S1およびS2を導出する。
図７の領域図の場合、以下のようになる。
全体領域面積S=(XR-XL)*(YR-YL)
部分領域面積S1=(XR_1-XL_1)*(YR_1-YL_1)
部分領域面積S2=(XR_2-XL_2)*(YR_2-YL_2)
【００１８】
ステップS1004において、制御部１０８は、全体領域面積Sと全ての部分領域面積S1、S2、・・・の合計ΣSn(n=1,2,・・・)の比ΣSn/Sを算出し、閾値C1との大小を比較する。
比較の結果、ΣSn/S>=C1ならば、全体領域の表示でも部分領域の視認性は良いと判断し、ステップS1005に進む。
ステップS1005において、制御部１０８は、領域切り出し部１０６に、全体領域を切り出して表示部１０７に表示するよう指示する。具体的には、制御部１０８は、全体領域の領域情報である座標(XL,YL)と(XR,YR)を領域切り出し部１０６に送る。
【００１９】
一方、比較の結果、ΣSn/S<C1ならば、全体領域の表示では部分領域の視認性が良くないと判断し、ステップS1006に進む。
ステップS1006において、制御部１０８は、全体領域より部分領域の視認性が良くなる単位領域の単位領域面積S0を算出する。第１の実施形態のステップS703で算出した単位領域の領域情報である座標(XL_0,YL_0)=(XL_1,YL_1)、(XR_0,YR_0)=(XR_2,YR_2)より、S0=(XR_2-XL_1)*(YR_2-YL_1)と導出できる。
【００２０】
ステップS1007において、制御部１０８は、単位領域面積S0と全ての部分領域面積S1、S2、・・・の合計ΣSn(n=1,2,・・・)の比ΣSn/S0を算出し、閾値C2との大小を比較する。
比較の結果、ΣSn/S0>=C2ならば、単位領域の表示で部分領域の視認性が良いと判断し、ステップS1008に進む。
ステップS1008において、制御部１０８は、領域切り出し部１０６に、単位領域を切り出して表示部１０７に表示するよう指示する。具体的には、制御部１０８は、単位領域の領域情報である座標(XL_1,YL_1)と(XR_2,YR_2)を領域切り出し部１０６に送る。
【００２１】
一方、ΣSn/S0<C2ならば、単位領域表示でもなお部分領域の視認性が良くないと判断し、ステップS1009に進む。
ステップS1009において、制御部１０８は、全ての部分領域の重心位置を算出して部分領域相互間の位置関係情報を算出する。そして、制御部１０８は、領域切り出し部１０６に、マルチ画面を表示部１０７に表示するよう指示する。具体的には、制御部１０８は、算出した位置関係情報および各部分領域の領域情報を領域切り出し部１０６に送る。
図７の領域図の場合、部分領域１、部分領域２の重心を、それぞれ座標(X1,Y1)、(X2,Y2)で表すとすると、以下のように算出できる。
部分領域１の重心(X1,Y1)=((XR_1+XL_1)/2,(YR_1+YL_1)/2)
部分領域２の重心(X2,Y2)=((XR_2+XL_2)/2,(YR_2+YL_2)/2)
ここで、例えば、XR_1<XL_2、YR_1<YL_2とすると、位置関係は、X1<X2、Y1<Y2となる。
【００２２】
以上の動作を、図１０〜図１２を用い、具体的に場合分けして（ケース１〜ケース３）説明する。なお、各図において、全体領域、部分領域Ａ、部分領域Ｂ、単位領域の面積を、それぞれ、S、SA、SB、S0とする。
[ケース１]
図１０は、(SA+SB)/S>C1（ステップS1004）の場合、すなわち、全体領域の表示で部分領域の視認性が良い場合、の例である。
ユーザの表示領域選択時には、ステップS1005の処理が行われ、表示部１０７には、図１０の全体領域が表示される。
[ケース２]
図１１（ａ）は、(SA+SB)/S<C1（ステップS1004）、(SA+SB)/S0>C2（ステップS1007）の場合、すなわち、全体領域の表示で部分領域の視認性が良くないが、単位領域の表示では部分領域の視認性が良い場合、の例である。
ユーザの表示領域選択時には、ステップS1006の処理が行われ、図１１（ｂ）の単位領域が導出される。ステップS1007で(SA+SB)/S0>C2より、ステップS1008の処理が行われ、表示部１０７には、図１１（ｂ）の単位領域が表示される。
[ケース３]
図１２（ａ）は、(SA+SB)/S<C1（ステップS1004）、(SA+SB)/S0<C2（ステップS1007）の場合、すなわち、全体領域の表示でも単位領域の表示でも部分領域の視認性が良くない場合、の例である。
ユーザの表示領域選択時には、ステップS1006の処理が行われ、図１２（ｂ）の単位領域が導出される。ステップS1007で(SA+SB)/S0<C2より、ステップS1009の処理が行われ、表示部１０７には、図１２（ｃ）のマルチ画面が表示される。
【００２３】
以上、本実施形態によれば、部分領域を映像表示装置に選択表示する場合、視認性に応じて表示領域・方法を変更するため、ユーザは、選択する部分領域の映像の内容を判別するのが容易になる。また、単位領域の表示の場合はもちろんのこと、マルチ画面表示の場合においても部分領域相互間の位置関係を保ったまま表示されるので、部分領域相互間の位置関係が把握し易い。
【００２４】
なお、本実施形態のステップS1007において、表示領域・方法を変更するかどうかを判断するために、単位領域面積S0と全ての部分領域面積Sn(n=1,2,・・・)の合計の比ΣSn/S0を算出し、閾値C2との大小を比較した。しかし、新たな閾値C3を別途定義し、各部分領域面積Sn(n=1,2,・・・)とC3との大小を比較することで、さらに、単位領域の表示でも部分領域の表示が小さいかどうかを判断し、マルチ画面表示としてもよい。
【００２５】
＜実施形態３＞
本発明の第３の実施形態について、図１３のフローチャート、及び図１４の領域図を用いて説明する。
本実施形態は、ユーザの表示領域選択時、全ての部分領域を含む単位領域の映像では各部分領域が小さく表示されてしまう場合に、近接度の高い部分領域同士で単位領域を構成し、部分領域を大きく表示するものである。
本実施形態における映像表示装置の構成例は、第１の実施形態（図１）と基本的に同様であり、制御部１０８の動作のみが異なる。
図１４の領域図は、全体領域、部分領域１、部分領域２、部分領域３、単位領域、の５つの領域から構成される。
それぞれの領域情報を、以下の座標で囲まれた領域で表し、部分領域及び単位領域の重心を、それぞれ、以下のように表すものとする。
全体領域・・・座標(XL,YL)と(XR,YR)
部分領域１・・座標(XL_1,YL_1)と(XR_1,YR_1)、重心(X1,Y1)
部分領域２・・座標(XL_2,YL_2)と(XR_2,YR_2)、重心(X2,Y2)
部分領域３・・座標(XL_3,YL_3)と(XR_3,YR_3)、重心(X3,Y3)
単位領域・・・座標(XL_0,YL_0)と(XR_0,YR_0)、重心(X0,Y0)
また、XL_2<XL_3、YL_2<YL_3、XR_2<XR_3、YR_2<YR_3とする。さらに、本実施形態において、後述の部分領域相互間の近接度の判断に用いられる値として閾値C4を新たに定義する。
【００２６】
以下、本実施形態における制御部１０８の動作について詳しく説明する。
図１３の各ステップは、ユーザの表示領域選択時に開始される。
ステップS1702において、制御部１０８は、部分領域相互間の距離、具体的には、重心相互間の距離、を導出する。例えば、部分領域１―部分領域２間の距離L12は、L12=√((X2-X1)^2+(Y2-Y1)^2)と導出できる。同様にして、部分領域１―部分領域３間の距離L13、部分領域２―部分領域３間の距離L23を導出する。
【００２７】
ステップS1703において、制御部１０８は、各部分領域が相互に離れているかどうかを判断し、離れている部分領域を除いた近接度の高い部分領域を含んだ単位領域を導出する。具体的には、制御部１０８は、ステップS1702で導出した部分領域相互間の距離L12、L13、L23を閾値C4と比較し、C4以下であれば近接度が高く、部分領域同士が離れていないと判断する。例えば、L12<L23<C4<L13である場合、C4を上回る部分領域３が、部分領域１及び部分領域２のグループから離れていると判断できる。したがって、制御部１０８は、部分領域１と部分領域２を含む単位領域を導出する。
【００２８】
ステップS1704において、制御部１０８は、ステップS1703で導出された単位領域と、単位領域から離れていると判断された部分領域の領域情報を基にマルチ画面表示するよう領域切り出し部１０６に指示する。具体的には、制御部１０８は、単位領域の領域情報(X0,Y0)、すなわち、座標(XL_1,YL_1)と(XR_2,YR_2)、及び、部分領域３の領域情報である座標(XL_3,YL_3)と(XR_3,YR_3)を領域切り出し部１０６に送る。
【００２９】
制御部１０８は、マルチ画面表示に際し、単位領域及び部分領域相互間の位置関係情報を領域切り出し部１０６に送り、単位領域及び部分領域の位置関係を維持したマルチ画面表示をするよう指示することもできる。例えば、単位領域の重心(X0,Y0)は、部分領域１の重心(X1,Y1)と部分領域２の重心(X2,Y2)から、((X1+X2)/2,(Y1+Y2)/2)と導出できる。部分領域３の重心は、(X3,Y3)であり、X0<X3、Y0<Y3であるから、単位領域と部分領域３の位置関係を導出することができる。
【００３０】
ステップS1705において、制御部１０８は、マルチ画面表示される領域数（単位領域又は部分領域）が同時に表示可能な最大マルチ画面数（例えば、４）より多いかどうかを判断する。本実施形態では、マルチ画面表示される領域数は、部分領域１と部分領域２を含む単位領域と部分領域３の２であるため、最大マルチ画面数が４の場合、制御部１０８の処理は終了（ステップS1707）となる。表示部１０７には図１５に示すようなマルチ画面が表示されることとなる。
【００３１】
ステップS1706において、制御部１０８は、マルチ画面表示される領域数が最大マルチ画面数より多い場合、複数のマルチ画面を表示するよう領域切り出し部１０６に指示する。
例えば、最大マルチ画面数が４であり、８の部分領域又は部分領域をマルチ画面表示する場合、制御部１０８は、４つの領域毎にマルチ画面表示するよう領域切り出し部１０６に指示する。その結果、表示部１０７には、４つの領域からなるマルチ画面が２つ用意され、ユーザが領域を選択する場合、次のマルチ画面からも所望の領域を選択できるように制御できる。
【００３２】
以上、本実施形態によれば、部分領域を映像表示装置に選択表示する場合、部分領域相互間の距離に応じて単位領域を構成する部分領域を取捨選択することで、部分領域を大きく表示することができる。これにより、ユーザは、選択する部分領域の映像の内容を容易に判別することが可能となる。また、部分領域相互間の位置関係を保ったままマルチ画面表示されるので、部分領域相互間の位置関係を把握し易い。
【００３３】
なお、本実施形態では、ステップS1703において、１つの部分領域（部分領域３）のみが他の部分領域（部分領域１及び部分領域２）より離れている例を取り挙げた。
しかし、図１６に示すように部分領域３に近接するさらなる部分領域４が存在する場合、ステップS1703において、部分領域１及び部分領域２のグループと、部分領域３及び部分領域４のグループに分けるよう判定できる。そして、それぞれのグループごとに単位領域１及び単位領域２を導出することができる。従って、この場合、制御部１０８は、ステップS1704において、単位領域１及び単位領域２からなるマルチ画面を表示するよう領域切り出し部１０６に指示することができる。結果、表示部１０７には、図１７に示すようなマルチ画面が表示されることとなる。
【００３４】
以上、本発明の好ましい実施形態について説明したが、本発明はこれらの実施形態に限定されず、その要旨の範囲内で種々の変形及び変更が可能である。
【符号の説明】
【００３５】
１００  アンテナ
１０２  情報入手部
１０３  信号分離部
１０４  映像再生部
１０５  メタデータ処理部
１０６  領域切り出し部
１０７  表示部
１０８  制御部
【図１】
2010268071.tif 000003
【図２】
2010268071.tif 000004
【図３】
2010268071.tif 000005
【図４】
2010268071.tif 000006
【図５】
2010268071.tif 000007
【図６】
2010268071.tif 000008
【図７】
2010268071.tif 000009
【図８】
2010268071.tif 000010
【図９】
2010268071.tif 000011
【図１０】
2010268071.tif 000012
【図１１】
2010268071.tif 000013
【図１２】
2010268071.tif 000014
【図１３】
2010268071.tif 000015
【図１４】
2010268071.tif 000016
【図１５】
2010268071.tif 000017
【図１６】
2010268071.tif 000018
【図１７】
2010268071.tif 000019